(57)【要約】【課題】利用客が選択ボタンを操作して洗車コースを選択する際、各々の洗車コースの所要時間を明確にした状態で、洗車コースを選択することが可能な洗車設備を提供する。【解決手段】洗車条件等を入力する操作装置３３が設置され、操作装置３３は、洗車内容の異なる複数種類の洗車コースから目的の洗車コースを選択する複数の洗車コース設定手段５４ａ〜５４ｅを有し、各洗車コース設定手段５４ａ〜５４ｅは表示部６１ａ〜６１ｅと選択ボタン６２ａ〜６２ｅとを有し、表示部６１ａ〜６１ｅに、各洗車コース毎の所要時間が表示されている。【選択図】図４
2009090896.tif 000002
【特許請求の範囲】
【請求項１】
洗車機本体と操作装置とを備え、
操作装置が洗車内容の異なる複数種類の洗車コースから目的の洗車コースを選択する複数の洗車コース設定手段を有している洗車設備であって、
各洗車コース設定手段は選択操作部を有し、
各洗車コース設定手段に、各洗車コース毎の所要時間が表示されていることを特徴とする洗車設備。
【請求項２】
各洗車コース設定手段は表示部を有し、
各洗車コース毎の所要時間が上記表示部に表示されていることを特徴とする請求項１記載の洗車設備。
【請求項３】
操作装置は洗車機本体から離れた後続車両待機箇所に設置され、
後続車両待機箇所に、先行車両に対して実行中の洗車コースが終了するまでの残り時間を表示する残り時間表示装置が設けられていることを特徴とする請求項１又は請求項２に記載の洗車設備。
【発明の詳細な説明】
【技術分野】
【０００１】
本発明は、利用客が洗車コースを選択する洗車設備に関する。
【背景技術】
【０００２】
従来、この種の洗車設備としては、図７に示すように、床面１に洗車機本体２とローラコンベヤ３（搬送装置）とが設置され、被洗浄車両４をローラコンベヤ３で移送しながら洗車機本体２内で洗車を行うものがある。洗車機本体２内には、洗浄水や洗剤液又はワックス液等の液体を噴射する複数のノズル（図示省略）と、洗浄用の複数のブラシ６と、乾燥用空気噴射用のノズル７とが設けられている。
【０００３】
ローラコンベヤ３の前方には、洗車コース等の洗車条件を入力して設定するための操作箱９が設置されている。操作箱９には、複数種類の洗車コースから希望する目的の洗車コースを選択するための複数の選択ボタン１０ａ〜１０ｅと、貨幣を投入する貨幣投入口１１と、釣銭を返却する釣銭返却口１２等が設けられている。
【０００４】
これによると、被洗浄車両４を操作箱９の横隣に停止させ、被洗浄車両４内の利用客が、洗車に必要な金額の貨幣を貨幣投入口１１に投入し、選択ボタン１０ａ〜１０ｅのいずれかを押して希望する目的の洗車コースを選択する。その後、被洗浄車両４を前進走行させてローラコンベヤ３に乗り入れローラコンベヤ３上に停車させる。その後、ローラコンベヤ３が駆動して被洗浄車両４が移送され、被洗浄車両４は、選択された洗車コースの内容に従って、洗車機本体２内で洗車される。
【０００５】
尚、上記のような洗車設備１５は例えば下記特許文献１に記載されている。また、洗車に要する所要時間は各洗車コース毎に異なっている。
【特許文献１】特開平７−２１５１７９
【特許文献２】特開平５−３１４３６６
【発明の開示】
【発明が解決しようとする課題】
【０００６】
しかしながら上記の従来形式では、利用客が選択ボタン１０ａ〜１０ｅを操作する際、利用客にとっては各洗車コースの所要時間が不明であるといった問題がある。このため、例えば洗車のための時間的余裕が短時間しかない場合、短時間内に終了する最適な洗車コースを選択することが困難であるといった問題や、或いは、希望する洗車コースが所定時間内に終了するか否かを正確に判断することが困難であるといった問題がある。このように、各洗車コースの所要時間がわからないため、特に高額の洗車コースの利用が敬遠され易くなり、高額の洗車コースの利用頻度を増やすことが難しかった。
【０００７】
また、別の従来例として、上記特許文献２には、端末装置に操作ボードと表示パネルとが設けられ、操作ボードに複数の洗車コース入力キーが設けられ、表示パネルに時間表示部が設けられているものが開示されている。時間表示部は、上記洗車コース入力キーによって選択された洗車コースに含まれる複数の工程毎に対する各所要時間を表示するものであり、標準金額と利用客が実際に投入した投入金額との差額に応じて、上記各工程毎に対する各所要時間を増減させている。
【０００８】
しかしながら上記特許文献２のものは、洗車コース入力キーを操作して選択された洗車コースのみの各工程の所要時間が時間表示部に表示される。このため、利用客が洗車コースを選択する際、各々の洗車コースの所要時間が明確ではなく、最適な所要時間の洗車コースを選択することはできないといった問題がある。
【０００９】
本発明は、利用客が洗車コース設定手段の選択操作部を操作して洗車コースを選択する際、各々の洗車コースの所要時間を明確にした状態で、洗車コースを選択することが可能な洗車設備を提供することを目的とする。
【課題を解決するための手段】
【００１０】
上記目的を達成するために本第１発明は、洗車機本体と操作装置とを備え、
操作装置が洗車内容の異なる複数種類の洗車コースから目的の洗車コースを選択する複数の洗車コース設定手段を有している洗車設備であって、
各洗車コース設定手段は選択操作部を有し、
各洗車コース設定手段に、各洗車コース毎の所要時間が表示されているものである。
【００１１】
これによると、利用客が洗車コース設定手段の選択操作部を操作して洗車コースを選択する際、各々の洗車コースの所要時間を明確にした状態で、洗車コースを選択することができる。これにより、利用客の時間的余裕に応じた最適な所要時間の洗車コースを選んで洗車することができ、さらには、高額の洗車コースの利用頻度が増加するといったメリットもある。
【００１２】
本第２発明は、各洗車コース設定手段は表示部を有し、
各洗車コース毎の所要時間が上記表示部に表示されているものである。
これによると、利用者が洗車コース設定手段の選択操作部を操作する際、所要時間の表示を見落とすことなく、確実に所要時間の表示に気付くことができる。
【００１３】
本第３発明は、操作部は洗車機本体から離れた後続車両待機箇所に設置され、
後続車両待機箇所に、先行車両に対して実行中の洗車コースが終了するまでの残り時間を表示する残り時間表示装置が設けられているものである。
【００１４】
これによると、先行の被洗浄車両に対して洗車が実行され、後続の被洗浄車両が後続車両待機箇所に待機している際、後続の被洗浄車両の利用客は、残り時間表示装置に表示される残り時間を見ることにより、先行の被洗浄車両に対する洗車が終了するまでに要する時間を容易かつ正確に認識することができる。したがって、後続の被洗浄車両の利用客は、自分の車両が洗車されるまでの待機時間を把握することができる。
【発明の効果】
【００１５】
以上のように本発明によると、利用客が洗車コース設定手段の選択操作部を操作して洗車コースを選択する際、各々の洗車コースの所要時間を明確にした状態で、洗車コースを選択することができる。これにより、利用客の時間的余裕に応じた最適な所要時間の洗車コースを選んで洗車することができる。
【００１６】
また、後続の被洗浄車両の利用客は、残り時間表示装置に表示される残り時間を見ることにより、先行の被洗浄車両に対する洗車が終了するまでに要する時間を容易かつ正確に認識することができる。したがって、後続の被洗浄車両の利用客は、自分の車両が洗車されるまでの待機時間を把握することができる。
【発明を実施するための最良の形態】
【００１７】
以下、本発明における実施の形態を図面に基づいて説明する。
図１に示すように、３１はセルフ形式の洗車設備であり、この洗車設備３１は、自走式の門形状の洗車機本体３２と、利用者が操作して洗車条件等を入力する操作装置３３と、開閉自在な遮断機３４と、残り時間表示装置３９とを有している。洗車機本体３２は、図２に示すように、ホームポジションＰ１と折返しポジションＰ２との間の一定経路３５上を前後方向に往復走行自在である。尚、洗車機本体３２の下部には、床３６に敷設されたレール３７に支持案内されて転動する車輪３８と、車輪３８を回転駆動させる走行駆動装置５３とが設けられている。
【００１８】
洗車機本体３２には、ブラッシング用の複数の回転自在なブラシ４０と、乾燥用のトップノズル４１およびサイドノズル４２と、洗車用の液体を噴射する複数のノズル４４〜５０等が設けられている。
【００１９】
各ノズル４４〜５０はアーチ状に構成されており、このうち、第１および第２洗浄水ノズル４４，４５は被洗浄車両３０に洗浄水を噴射し、第１および第２洗剤ノズル４６，４７は被洗浄車両３０に洗剤液（シャンプー）を噴射し、撥水コート剤ノズル４８は被洗浄車両３０に撥水コート液を噴射し、ワックスノズル４９は被洗浄車両３０にワックス液を噴射し、光沢コート剤ノズル５０は被洗浄車両３０に光沢コート液を噴射するものである。
【００２０】
図２，図３に示すように、ホームポジションＰ１の前方には車両停止部Ａが設定され、車両停止部Ａには、被洗浄車両３０を検出する車両検出装置５２（光電センサー等）が設けられている。また、折返しポジションＰ２は車両停止部Ａの前方に位置している。折返しポジションＰ２の前方には後続車両待機箇所Ｂが形成されている。操作装置３３と遮断機３４と残り時間表示装置３９とは後続車両待機箇所Ｂに設けられている。
【００２１】
図４に示すように、操作装置３３は、支柱３３ａで支持された操作盤３３ｂと、洗車内容の異なる複数種類の洗車コースから目的の（希望する）洗車コースを選択する複数の洗車コース設定手段５４ａ〜５４ｅとを有している。
【００２２】
各洗車コース設定手段５４ａ〜５４ｅはそれぞれ、表示部６１ａ〜６１ｅと選択ボタン６２ａ〜６２ｅ（選択操作部の一例）とを有しており、操作盤３３ｂの操作面３３ｃに設けられている。各表示部６１ａ〜６１ｅには、対応する洗車コースに関する情報、例えば、洗車コースの名称と洗車機本体３２の往復走行数と金額そして所要時間等が表示されている。尚、各表示部６１ａ〜６１ｅは各選択ボタン６２ａ〜６２ｅの上方に設けられている。
【００２３】
さらに、操作面３３ｃには、貨幣を投入する貨幣投入口５５と、専用のプリペイドカードを挿入するカード挿入口５６と、被洗浄車両３０の装備品の有無や種類を入力する複数の装備品用ボタン５７ａ〜５７ｇと、洗車スタートおよび洗車予約を入力するスタート・予約ボタン５８等が設けられている。
【００２４】
尚、各洗車コースのうち、水洗いコースは、洗車機本体３２を１往復させ、この間に、ブラシ４０でブラッシングし、第１および第２洗浄水ノズル４４，４５から洗浄水を噴射して洗車するものである。
【００２５】
また、ワックスコースは、洗車機本体３２を１．５往復させ、この間に、ブラシ４０でブラッシングし、第１および第２洗浄水ノズル４４，４５から洗浄水を噴射し、第１および第２洗剤ノズル４６，４７から洗剤液を噴射し、ワックスノズル４９からワックス液を噴射して洗車するものである。
【００２６】
また、撥水コートコースは、洗車機本体３２を２往復させ、この間に、ブラシ４０でブラッシングし、第１および第２洗浄水ノズル４４，４５から洗浄水を噴射し、第１および第２洗剤ノズル４６，４７から洗剤液を噴射し、撥水コート剤ノズル４８から撥水コート液を噴射して洗車するものである。
【００２７】
また、光沢コートコースは、洗車機本体３２を２．５往復させ、この間に、ブラシ４０でブラッシングし、第１および第２洗浄水ノズル４４，４５から洗浄水を噴射し、第１および第２洗剤ノズル４６，４７から洗剤液を噴射し、撥水コート剤ノズル４８から撥水コート液を噴射し、光沢コート剤ノズル５０から光沢コート液を噴射して洗車するものである。
【００２８】
また、シャンプーコースは、洗車機本体３２を１．５往復させ、この間に、ブラシ４０でブラッシングし、第１および第２洗浄水ノズル４４，４５から洗浄水を噴射し、第１および第２洗剤ノズル４６，４７から洗剤液を噴射して洗車するものである。
【００２９】
図１に示すように、残り時間表示装置３９は、先行の被洗浄車両３０に対して実行中の洗車コースが終了するまでの残り時間を表示するものであり、液晶表示パネル等からなる表示部３９ａを有している。
【００３０】
図５に示すように、洗車機本体３２には、時間をカウントするカウンター部６０ａと記憶部６０ｂとを有する制御部６０が設けられている。制御部６０は、上記各ボタン５７ａ〜５７ｇ，５８，６２ａ〜６２ｅからの操作信号の入力および車両検出装置５２からの検出信号の入力に基づいて、洗車機本体３２の走行駆動装置５３と各ブラシ４０と各ノズル４１，４２，４４〜５０と遮断機３４と残り時間表示装置３９等を制御する。
【００３１】
以下、上記構成における作用を説明する。
利用客は、閉じた遮断機３４の手前で被洗浄車両３０を停止し、先ず、操作装置３３の貨幣投入口５５に貨幣を投入するか或いはカード挿入口５６にプリペイドカードを挿入し、次に、選択ボタン６２ａ〜６２ｅのいずれかを押して希望する目的の洗車コースを選ぶ。この際、各選択ボタン６２ａ〜６２ｅの上方の各表示部６１ａ〜６１ｅにはそれぞれの洗車コースに対する所要時間が表示されているため、利用客は各洗車コースの所要時間を把握した上で洗車コースを選択することができる。これにより、利用客の時間的余裕に応じた最適な所要時間の洗車コースを選んで洗車することができ、さらには、高額の洗車コースの利用頻度が増加するといったメリットもある。
【００３２】
上記のように利用客は、選択ボタン６２ａ〜６２ｅのいずれかを押して洗車コースを選んだ後、必要に応じて装備品用ボタン５７ａ〜５７ｇを押し、最後に、スタート・予約ボタン５８を押す。
【００３３】
図６のフローチャートに示すように、洗車スタート時において洗車予約がなされていない場合（ステップ−１）、選択ボタン６２ａ〜６２ｅのいずれかが押され（ステップ−２）、さらに、スタート・予約ボタン５８が押されると（ステップ−３）、洗車条件等の入力が完了し、図２（ａ）の仮想線で示すように、遮断機３４が開く（ステップ−４）。
【００３４】
図２（ａ）の実線で示すように、利用客は被洗浄車両３０を前進させて車両停止部Ａに停止させ、これにより、被洗浄車両３０が車両検出装置５２で検出され（ステップ−５）、遮断機３４が閉じる（ステップ−６）。
【００３５】
洗車機本体３２がホームポジションＰ１から前進走行を開始し、選択された洗車コースが実行される（ステップ−７）。この際、洗車コースの実行開始時からの経過時間がカウンター部６０ａでカウントされ（ステップ−８）、上記経過時間に基づいて洗車コースの残り時間Ｔが算出される（ステップ−９）。すなわち、残り時間Ｔは、選択された洗車コースの所要時間（各洗車コース毎に一定）から上記カウンター部６０ａでカウントされる経過時間を差し引くことによって算出される。
【００３６】
洗車機本体３２は、ホームポジションＰ１から折返しポジションＰ２に達すると、前進走行から後進走行に切り換えられて、引き続き、選択された洗車コースの洗車内容を実行する。
【００３７】
後続の被洗浄車両３０がいない場合、上記残り時間Ｔの表示はせず、選択された洗車コースが終了すると（ステップ−１４）、カウンター部６０ａがリセットされ（ステップ−１５）、洗車が完了する。その後、利用客は被洗浄車両３０を走行させて車両停止部Ａから退出させる。
【００３８】
また、先行の被洗浄車両３０に対して洗車が実行されている最中に、図２（ｂ）の仮想線および図３の仮想線で示すように、後続の被洗浄車両３０が後続車両待機箇所Ｂに進入し、後続の被洗浄車両３０の利用客が、貨幣投入口５５に貨幣を投入するか或いはカード挿入口５６にプリペイドカードを挿入し、選択ボタン６２ａ〜６２ｅのいずれかを押して希望する目的の洗車コースを選び（ステップ−１０）、スタート・予約ボタン５８を押した場合（ステップ−１１）、後続の被洗浄車両３０の利用客によって選択された洗車コースが予約され（ステップ−１２）、残り時間表示装置３９の表示部３９ａに、先行の被洗浄車両３０に対して実行中の洗車コースが終了するまでの残り時間Ｔが表示される（ステップ−１３）。
【００３９】
これにより、後続車両待機箇所Ｂに待機している後続の被洗浄車両３０の利用客は、残り時間表示装置３９に表示される残り時間Ｔを見ることによって、先行の被洗浄車両３０に対する洗車が終了するまでに要する時間を容易かつ正確に認識することができる。したがって、後続の被洗浄車両３０の利用客は、自分の車両が洗車されるまでの待機時間を把握することができる。
【００４０】
尚、この場合、先行の被洗浄車両３０に対する洗車が終了した後、次の洗車がスタートする際、洗車予約が有りと判断され（ステップ−１）、遮断機３４が開き（ステップ−４）、後続の被洗浄車両３０の利用客によって既に予約されている洗車コースが後続の被洗浄車両３０に対して実行される。
【００４１】
また、利用客は、選択ボタン６２ａ〜６２ｅのいずれかを押して洗車コースを選ぶ際、各表示部６１ａ〜６１ｅに表示されている所要時間を見ることによって、洗車が終了する時刻を把握することができるため、洗車終了直前に、被洗浄車両３０を退出させるための準備に取り掛かることができ、洗車終了後、迅速かつ円滑に被洗浄車両３０を走行させて退出させることができる。さらに、利用客が、洗車の途中で、洗車が終了したと勘違いして被洗浄車両３０を走行させて退出させてしまうといった誤操作を防止することもできる。
【００４２】
上記実施の形態では、残り時間Ｔを残り時間表示装置３９に表示しているが、後続車両待機箇所Ｂにスピーカー等の音声発生装置を設け、上記残り時間Ｔを音声発生装置から音声で出力してもよい。
【００４３】
上記実施の形態では、図１に示すように、残り時間表示装置３９と操作装置３３とを個別（別体）に設けているが、残り時間表示装置３９を操作装置３３に一体に付属させて設けてもよい。
【００４４】
上記実施の形態では、図１に示すように、操作装置３３を洗車機本体３２とは別体に設けているが、操作装置３３を洗車機本体３２に設けてもよい。
上記実施の形態では、図４に示すように、各洗車コース設定手段５４ａ〜５４ｅの表示部６１ａ〜６１ｅに、洗車コースの所要時間等を表示しているが、選択ボタン６２ａ〜６２ｅに表示してもよい。
【００４５】
上記実施の形態では、図４に示すように、選択操作部の一例として選択ボタン６２ａ〜６２ｅを設けているが、押しボタンに限定されるものではなく、例えば、タッチパネル等であってもよい。
【００４６】
上記実施の形態では、図２に示すように、停止した被洗浄車両３０に対して洗車機本体３２を移動させて洗車を行う形式の洗車設備３１を挙げたが、この形式に限定されるものではなく、例えば、床３６に固定されて設置された洗車機本体に対して、被洗浄車両３０を移送手段等で移送しながら洗車を行う形式の洗車設備であってもよい。或いは、洗車機本体と被洗浄車両３０との両者を互いに移動させて洗車を行う形式の洗車設備であってもよい。また、洗車機本体３２が前後に二分割されている形式の洗車設備であってもよい。
【００４７】
上記実施の形態では、図４に示すように、５種類の洗車コースを表示しているが、５種類に限定されるものではなく、５種類以外の複数種類であってもよい。また、図４で示した各洗車コースの名称や往復回数、金額、所要時間の数値は一例であり、これらに限定されるものではない。
【図面の簡単な説明】
【００４８】
【図１】本発明の実施の形態における洗車設備の側面図である。
【図２】同、洗車設備の側面図であり、（ａ）は被洗浄車両が車両停止部に停止した状態を示し、（ｂ）は洗車機本体がホームポジションから折返しポジションに達した状態を示す。
【図３】同、洗車設備の平面図である。
【図４】同、洗車設備の操作装置の拡大正面図である。
【図５】同、洗車設備の制御系のブロック図である。
【図６】同、洗車設備の制御部による制御を示すフローチャートである。
【図７】従来の洗車設備の図であり、（ａ）は側面図、（ｂ）は操作箱の拡大正面図である。
【符号の説明】
【００４９】
３０    被洗浄車両
３１    洗車設備
３２    洗車機本体
３３    操作装置
３９    残り時間表示装置
５４ａ〜５４ｅ    洗車コース設定手段
６１ａ〜６１ｅ    表示部
６２ａ〜６２ｅ    選択ボタン（選択操作部）
Ｂ    後続車両待機箇所
【図１】
2009090896.tif 000003
【図２】
2009090896.tif 000004
【図３】
2009090896.tif 000005
【図４】
2009090896.tif 000006
【図５】
2009090896.tif 000007
【図６】
2009090896.tif 000008
【図７】
2009090896.tif 000009